(57)【要約】【課題】  二段ベッド態様では上段ベッドが十分な高さを有し、上段ベッドの側柵を十分に高く設定して安全基準をクリアーし、下段ベッドの側柵を十分低く設定して乗り降りを容易にし、一段ベッド態様では二台のベッドの外観が全く同一になる組替え式二段ベッドを提供する。【解決手段】  それぞれ高さの異なる支持脚７，８を有し、該支持脚の内側面の同じ高さ位置に脚側連結手段を設けた各一対の第１脚枠体１と第２脚枠体２と、両端に脚側連結手段に着脱可能に連結する第１連結手段を有する上下幅の狭い第１側枠体３と、両端に脚側連結手段に着脱可能に連結する第２連結手段を有する上下幅の広い第２側枠体４と、第１側枠体及び第２側枠体の受部９，１０に載支可能な２組の床部材５とよりなる。【選択図】        図１
2006122397.tif 000002
【特許請求の範囲】
【請求項１】
二段ベッド態様と、外観が同一の２台の一段ベッドからなる一段ベッド態様とに互いに組替え可能な組替え式二段ベッドであって、
両側に高さの高い支持脚を有し、該支持脚の内側面の下端から所定高さ位置に脚側連結手段を設けるとともに、該支持脚の上端に連結部を設けた一対の第１脚枠体と、
両側に高さの低い支持脚を有し、該支持脚の内側面に前記第１脚枠体の支持脚と同一高さで同一構造の脚側連結手段を設けるとともに、該支持脚の下端に前記第１脚枠体の支持脚下端の連結部とで互いに上下に連結する連結部を設けた一対の第２脚枠体と、
上下幅の狭い長尺部材であり、両端に前記第１脚枠体及び第２脚枠体の脚側連結手段を用いて着脱可能に連結する第１連結手段を有するとともに、内側面に沿って受部を突設した一対の第１側枠体と、
上下幅が前記第１側枠体よりも広い長尺部材であり、両端に前記第１脚枠体及び第２脚枠体の脚側連結手段を用いて着脱可能に連結する第２連結手段を有するとともに、内側面の下部に沿って下端からの位置が前記第１側枠体の受部と同一の受部を突設し、上部を側柵部となした一対の第２側枠体と、
前記第１側枠体及び第２側枠体の受部に載支可能な２組の床部材と、
よりなることを特徴とする組替え式二段ベッド。
【請求項２】
前記脚側連結手段は、前記支持脚に上下方向のスリット溝を形成するとともに、該スリット溝内に係止ピンを横設し、更に前記スリット溝の上下部に螺孔を形成したものであり、前記第１連結手段は、前記スリット溝内に挿入し且つ前記係止ピンに落とし込み係止するフック部材と、前記第１側枠体の端部下面にネジ止めするとともに、下側の螺孔にネジ止めするアングル部材とからなり、前記第２連結手段は、前記スリット溝内に挿入し且つ前記係止ピンに落とし込み係止するフック部材と、前記第２側枠体の側柵部端部に設けた切欠部を形成する下面にネジ止めするとともに、上側の螺孔にネジ止めするアングル部材とからなる請求項１記載の組替え式二段ベッド。
【請求項３】
前記第１脚枠体及び第２脚枠体の支持脚の下端から、前記第１側枠体及び第２側枠体の下端までの寸法よりも高さが低く、前記第１側枠体及び第２側枠体の長さの半分以下の横幅を有し、下面にキャスターを備えて床面上を移動可能となした一対の収納庫を、二段ベッド態様で前記第１側枠体の下方に二つ並設し、一段ベッド態様で前記第１側枠体及び第２側枠体の下方にそれぞれ一つずつ設置可能としてなる請求項１又は２記載の組替え式二段ベッド。
【発明の詳細な説明】
【技術分野】
【０００１】
本発明は、組替え式二段ベッドに係わり、更に詳しくは二段と一段とに組み替え可能な組替え式二段ベッドに関するものである。
【背景技術】
【０００２】
従来から二段ベッドは、本出願人の先願に係る特許文献１にも開示されているように、それぞれ一対の支持脚を有するヘッド枠体とフット枠体との両端部間に、側枠体を着脱可能に連結するとともに、ヘッド枠体、フット枠体及び側枠体で囲まれた内部に床部材を支持し、更に側枠体の上位であってヘッド枠体とフット枠体の両支持脚間に落下防止用の側柵を着脱可能に取付けた基本構造の下段ベッドと上段ベッドとを上下に分離可能に連結した構造のものが一般的に提供されている。ここで、前記上段ベッドの床部材を十分に高い位置に設定するために、前記下段ベッドのヘッド枠体とフット枠体の支持脚が上方へ延長した長尺のものを用いている。それに対して、前記上段ベッドの前記ヘッド枠体とフット枠体の支持脚は、高さが低く意匠上の配慮がなされたものとなっている。
【０００３】
特許文献２、３にも開示されているように、通常、下段ベッド、上段ベッドとも、ヘッド枠体とフット枠体の両支持脚の下端から床部材を支持する高さは同じに設定し、下段ベッドと上段ベッドを分離して並べて設置した際に床部材の高さを一致させている。また、前記側枠体の両端を前記ヘッド枠体及びフット枠体の支持脚に連結する構造も同じとなっており、しかも側枠体と支持脚との連結構造において下段ベッドと上段ベッドの区別はないのである。更に、下段ベッド及び上段ベッドの側枠体の上位に設ける側柵の前記ヘッド枠体及びフット枠体の支持脚に対する連結構造も同じとなっている。
【０００４】
従って、このような構造の二段ベッドは、下段ベッドにも側柵を有しているので、小さい子供が使用する場合に落下の危険性がなくなる反面、ベッドに対する乗り降りが不便になる。また、一段ベッドに変更する場合には、各パーツに分解し、特許文献２、３に開示されているように、高さの高い支持脚を有するヘッド枠体と、高さの低い支持脚を有するフット枠体の組合せで、両枠体間に側枠体を連結するとともに、各側枠体の上位に側柵を取付けて、外観がほぼ同一の二台のベッドを構成するのである。ここで、特許文献２に記載のベッドは、側柵が上下段のベッドで同一であるので、一段ベッドに組替えた場合には二台のベッドは外観が全く同一になり、特許文献３に記載のベッドは、側柵が上下段のベッドで異なるので、一段ベッドに組替えた場合には二台のベッドは外観ほぼ同一になるのである。
【特許文献１】特開２００１−２５８６８４号公報
【特許文献２】実公昭３７−２５２５９号公報
【特許文献３】実開昭６０−１１２９５８号公報
【発明の開示】
【発明が解決しようとする課題】
【０００５】
そこで、本発明が前述の状況に鑑み、解決しようとするところは、二段ベッド態様にしたときに上段ベッドの床部材と下段ベッドの床部材との間に十分な高さを有するとともに、上段ベッドの側柵を安全基準をクリアーできるのに十分に高く設定し、下段ベッドの側柵をベッドに対する乗り降りが容易になるように十分低く設定し、しかも一段ベッド態様にしたときに二台のベッドの外観が全く同一になる組替え式二段ベッドを提供する点にある。
【課題を解決するための手段】
【０００６】
本発明は、前述の課題解決のために、二段ベッド態様と、外観が同一の２台の一段ベッドからなる一段ベッド態様とに互いに組替え可能な組替え式二段ベッドであって、両側に高さの高い支持脚を有し、該支持脚の内側面の下端から所定高さ位置に脚側連結手段を設けるとともに、該支持脚の上端に連結部を設けた一対の第１脚枠体と、両側に高さの低い支持脚を有し、該支持脚の内側面に前記第１脚枠体の支持脚と同一高さで同一構造の脚側連結手段を設けるとともに、該支持脚の下端に前記第１脚枠体の支持脚下端の連結部とで互いに上下に連結する連結部を設けた一対の第２脚枠体と、上下幅の狭い長尺部材であり、両端に前記第１脚枠体及び第２脚枠体の脚側連結手段を用いて着脱可能に連結する第１連結手段を有するとともに、内側面に沿って受部を突設した一対の第１側枠体と、上下幅が前記第１側枠体よりも広い長尺部材であり、両端に前記第１脚枠体及び第２脚枠体の脚側連結手段を用いて着脱可能に連結する第２連結手段を有するとともに、内側面の下部に沿って下端からの位置が前記第１側枠体の受部と同一の受部を突設し、上部を側柵部となした一対の第２側枠体と、前記第１側枠体及び第２側枠体の受部に載支可能な２組の床部材とよりなる組替え式二段ベッドを構成した（請求項１）。
【０００７】
ここで、前記脚側連結手段は、前記支持脚に上下方向のスリット溝を形成するとともに、該スリット溝内に係止ピンを横設し、更に前記スリット溝の上下部に螺孔を形成したものであり、前記第１連結手段は、前記スリット溝内に挿入し且つ前記係止ピンに落とし込み係止するフック部材と、前記第１側枠体の端部下面にネジ止めするとともに、下側の螺孔にネジ止めするアングル部材とからなり、前記第２連結手段は、前記スリット溝内に挿入し且つ前記係止ピンに落とし込み係止するフック部材と、前記第２側枠体の側柵部端部に設けた切欠部を形成する下面にネジ止めするとともに、上側の螺孔にネジ止めするアングル部材とからなることが好ましい（請求項２）。
【０００８】
また、前記第１脚枠体及び第２脚枠体の支持脚の下端から、前記第１側枠体及び第２側枠体の下端までの寸法よりも高さが低く、前記第１側枠体及び第２側枠体の長さの半分以下の横幅を有し、下面にキャスターを備えて床面上を移動可能となした一対の収納庫を、二段ベッド態様で前記第１側枠体の下方に二つ並設し、一段ベッド態様で前記第１側枠体及び第２側枠体の下方にそれぞれ一つずつ設置可能としてなることも好ましい（請求項３）。
【発明の効果】
【０００９】
以上にしてなる請求項１に係る発明の組替え式二段ベッドは、二段ベッド態様と、外観が同一の２台の一段ベッドからなる一段ベッド態様とに互いに組替え可能である。つまり、二段ベッド態様は、一対の第１脚枠体の各支持脚間に第１側枠体を連結して形成された枠体内に床部材を配して両第１側枠体の受部で載支して下段ベッドを構成する一方、一対の第２脚枠体の各支持脚間に第２側枠体を連結して形成された枠体内に床部材を配して両第２側枠体の受部で載支して上段ベッドを構成し、該下段ベッドの各支持脚の上端に上段ベッドの各支持脚の下端を載置して連結部で連結した構造である。この場合、上段ベッドの第２側枠体は高さが高く側柵部を有しているので、安全基準をクリアーするとともに、下段ベッドの第１側枠体は高さが低いのでベッドに対する乗り降りが容易である。また、一段ベッド態様は、高さの高い第１脚枠体と高さの低い第２脚枠体を選択し、第１脚枠体と第２脚枠体の一対の支持脚間に第１側枠体を連結するとともに、他の一対の支持脚間に第２側枠体を連結して形成された枠体内に床部材を配し、第１側枠体と第２側枠体の受部で載支した構造である。この場合、２台の一段ベッドは外観が全く同一となるとともに、一方の第１側枠体は高さが低いのでベッドに対する乗り降りが容易である。尚、第１側枠体と第２側枠体の連結する側を選択することにより２態様が可能である。例えば、壁面に沿って２台の一段ベッドを設置する場合には、壁面側を高さの高い第２側枠体とし、また２台の一段ベッドを互いに側枠体を接近させて並設する場合には、接近する側を第２側枠体とすることができるのである。
【００１０】
請求項２によれば、第１側枠体と第２側枠体の高さが異なり、それぞれ第１連結手段と第２連結手段を設けても、第１脚枠体と第２脚枠体の脚側連結手段は同一の構造とすることができるので、全ての組み合わせで互いに連結することができる。また、脚枠体と側枠体の連結は、フック部材をスリット溝内に挿入し且つ前記係止ピンに落とし込み係止するとともに、第１側枠体にあってはアングル部材を端部下面と支持脚の下側の螺孔を用いてネジ止めするので、連結強度が高いとともに、アングル部材は第１側枠体の下端に位置して目立たなくなり、また第２側枠体にあってはアングル部材を側柵部端部に設けた切欠部を形成する下面と支持脚の上側の螺孔を用いてネジ止めするので、連結強度が高いとともに、上下幅が広い第２側枠体の上部の側柵部を支持するので内外方向の力に対して耐力が高く、また前記アングル部材は第２側枠体の切欠部内に位置して目立たなくなるのである。
【００１１】
請求項３によれば、二段ベッド態様においては、下段ベッドを構成する第１側枠体と床面との間の空間に、左右に収納庫を並設することができ、デッドスペースの有効利用が図れ、また一段ベッド態様においては、各一段ベッドの第１側枠体及び第２側枠体と床面との間の空間に、それぞれ収納庫を設置することができ、収納庫を含めて２台の一段ベッドで外観の統一を図ることができる。
【発明を実施するための最良の形態】
【００１２】
次に、添付図面に示した実施形態に基づき、本発明を更に詳細に説明する。図１は、本発明の組替え式二段ベッドの全体斜視図であり、図１（ａ）は二段ベッド態様、図１（ｂ）は一段ベッド態様をそれぞれ示し、図２〜図６は二段ベッド態様の詳細を示し、図７は一段ベッド態様の詳細を示し、図中符号Ａは下段ベッド、Ｂは上段ベッド、Ｃは一段ベッド、１は第１脚枠体、２は第２脚枠体、３は第１側枠体、４は第２側枠体、５は床部材、６は収納庫をそれぞれ示している。
【００１３】
本発明の組替え式二段ベッドは、二段ベッド態様と、外観が同一の２台の一段ベッドからなる一段ベッド態様とに互いに組替え可能な組替え式二段ベッドであって、両側に高さの高い支持脚７，７を有し、該支持脚７，７の内側面の下端から所定高さ位置に脚側連結手段を設けるとともに、該支持脚７，７の上端に連結部を設けた一対の第１脚枠体１，１と、両側に高さの低い支持脚８，８を有し、該支持脚８，８の内側面に前記第１脚枠体１の支持脚７，７と同一高さで同一構造の脚側連結手段を設けるとともに、該支持脚８，８の下端に前記第１脚枠体１の支持脚下端の連結部とで互いに上下に連結する連結部を設けた一対の第２脚枠体２，２と、上下幅の狭い長尺部材であり、両端に前記第１脚枠体１及び第２脚枠体２の脚側連結手段を用いて着脱可能に連結する第１連結手段を有するとともに、内側面に沿って受部９を突設した一対の第１側枠体３と、上下幅が前記第１側枠体３よりも広い長尺部材であり、両端に前記第１脚枠体１及び第２脚枠体２の脚側連結手段を用いて着脱可能に連結する第２連結手段を有するとともに、内側面の下部に沿って下端からの位置が前記第１側枠体３の受部９と同一の受部１０を突設し、上部を側柵部１１となした一対の第２側枠体４と、前記第１側枠体３及び第２側枠体４の受部９，１０に載支可能な２組の床部材５とより構成されている。
【００１４】
更に、前記第１脚枠体１及び第２脚枠体２の支持脚７，８の下端から、前記第１側枠体３及び第２側枠体４の下端までの寸法よりも高さが低く、前記第１側枠体３及び第２側枠体４の長さの半分以下の横幅を有し、下面にキャスター１２を備えて床面上を移動可能となした一対の収納庫６，６を有している。
【００１５】
更に各部について詳説すれば、前記第１脚枠体１は、左右両側に立設した一対の支持脚７，７間を固定柵１３で連結して一体化したものであり、図２及び図５に示すように、前記支持脚７，７の内側面に設けた脚側連結手段として、前記支持脚７に上下方向のスリット溝１４を形成するとともに、該スリット溝１４内に係止ピン１５，１５を横設し、更に前記スリット溝１４の上下部に螺孔１６，１６を形成したものである。
【００１６】
また、前記第２脚枠体２も同様に、左右両側に立設した一対の支持脚８，８間を固定柵１７で連結して一体化したものであり、図２及び図５に示すように、前記支持脚８，８の内側面に設けた脚側連結手段として、前記支持脚８に上下方向のスリット溝１４を形成するとともに、該スリット溝１４内に係止ピン１５，１５を横設し、更に前記スリット溝１４の上下部に螺孔１６，１６を形成したものである。
【００１７】
そして、前記第１側枠体３は、単純形状の長尺板材で作製し、前記脚側連結手段に連結する第１連結手段として、両端に前記スリット溝１４内に挿入し且つ前記係止ピン１５，１５に落とし込み係止するフック部材１８を突設するとともに、前記第１側枠体３の端部下面にネジ止めするとともに、下側の螺孔１６にネジ止めするアングル部材１９を備えたものである。ここで、前記アングル部材１９は、第１側枠体３の下端に位置するので、目立たないのである。そして、前記第１側枠体３の受部９に床部材５を載支した状態では、該床部材５の上面よりも該第１側枠体３の上縁が高くなるように設定し、マットレスや敷布団よりも第１側枠体３の上縁が若干突出するようにしている。
【００１８】
また、前記第２側枠体４は、上下幅が前記第１側枠体３よりも広い長尺板材で作製し、下部を前記第１側枠体３と同一の構成とし、上部を側柵部１１となした部材であり、前記脚側連結手段に連結する第２連結手段として、両端に前記スリット溝１４内に挿入し且つ前記係止ピン１５，１５に落とし込み係止するフック部材１８を突設するとともに、前記側柵部１１の端部に設けた切欠部２０を形成する下面にネジ止めするとともに、上側の螺孔１６にネジ止めするアングル部材１９を備えたものである。ここで、前記アングル部材１９をスリット溝１４より上側の螺孔１６を用いてネジ止めすることにより、前記支持脚８に対する第２側枠体４の上動を規制し、前記フック部材１８と係止ピン１５，１５との係止状態を維持するばかりでなく、上部の側柵部１１の支持を兼ねているのである。また、前記アングル部材１９は第２側枠体４の切欠部２０内に位置するので、目立たないのである。
【００１９】
そして、二段ベッド態様では、図１（ａ）、図２〜図６に示すように、先ず、一対の前記第１脚枠体１，１の各支持脚７，７間に、前記脚側連結手段と第１連結手段にて、前記第１側枠体３を着脱可能に連結し、両第１脚枠体１，１及び第１側枠体３，３で形成された枠体内に床部材５を配して両第１側枠体３，３の受部９，９で載支して下段ベッドＡを構成する。それから、一対の前記第２脚枠体２，２の各支持脚８，８間に、前記脚側連結手段と第２連結手段にて、前記第２側枠体４を着脱可能に連結し、両第２脚枠体２，２及び第２側枠体４，４で形成された枠体内に床部材５を配して両第２側枠体４，４の受部１０，１０で載支して上段ベッドＢを構成する。そして、前記下段ベッドＡの各支持脚７，…の上端に、上段ベッドＢの各支持脚８，…の下端を載置して連結部で連結するのである。ここで、前記支持脚７と支持脚８を連結する連結部として、前記支持脚７の上端に連結孔２１を形成するとともに、前記支持脚８の下端にも連結孔２２を形成し、前記支持脚７の連結孔２１に嵌合した連結ピン２３の上端部に前記支持脚８の連結孔２２を落とし込み嵌合して連結するのである。そして、下段ベッドＡの第２脚枠体２の下方には、二つの収納庫６，６を左右に並置している。
【００２０】
また、一段ベッド態様では、図１（ｂ）及び図７に示すように、高さの高い第１脚枠体１と高さの低い第２脚枠体２を選択し、第１脚枠体１と第２脚枠体２の一対の支持脚７，８間に、前記脚側連結手段と第１連結手段にて、第１側枠体３を連結するとともに、他の一対の支持脚７，８間に、前記脚側連結手段と第２連結手段にて、第２側枠体４を連結して形成された枠体内に床部材５を配し、第１側枠体３と第２側枠体４の受部９，１０で載支して一段ベッドＣを構成する。そして、各一段ベッドＣの第１側枠体３又は第２側枠体４の下方にそれぞれ収納庫６を設置している。ここで、２台の一段ベッドＣ，Ｃで前記第１側枠体３と第２側枠体４を連結する側を同じにすれば同一外観となり、反対にすれば鏡面対称とすることが可能である。何れにしても２台の一段ベッドＣ，Ｃは、外観の統一を図ることができる。
【図面の簡単な説明】
【００２１】
【図１】本発明の組替え式二段ベッドの全体斜視図を示し、（ａ）は二段ベッド態様、（ｂ）は一段ベッド態様をそれぞれ示している。
【図２】本発明の二段ベッド態様の正面図である。
【図３】同じく二段ベッド態様の側面図である。
【図４】同じく二段ベッド態様の平面図である。
【図５】脚枠体と側枠体との連結構造を示す部分縦断正面図である。
【図６】脚枠体と側枠体との連結構造を示す部分縦断側面図である。
【図７】本発明の一段ベッド態様の部分縦断正面図である。
【符号の説明】
【００２２】
Ａ  下段ベッド
Ｂ  上段ベッド
Ｃ  一段ベッド
１  第１脚枠体
２  第２脚枠体
３  第１側枠体
４  第２側枠体
５  床部材
６  収納庫
７  支持脚
８  支持脚
９  受部
１０  受部
１１  側柵部
１２  キャスター
１３  固定柵
１４  スリット溝（脚側連結手段）
１５  係止ピン（脚側連結手段）
１６  螺孔（脚側連結手段）
１７  固定柵
１８  フック部材（第１連結手段、第２連結手段）
１９  アングル部材（第１連結手段、第２連結手段）
２０  切欠部
２１  連結孔（連結部）
２２  連結孔（連結部）
２３  連結ピン（連結部）
【図１】
2006122397.tif 000003
【図２】
2006122397.tif 000004
【図３】
2006122397.tif 000005
【図４】
2006122397.tif 000006
【図５】
2006122397.tif 000007
【図６】
2006122397.tif 000008
【図７】
2006122397.tif 000009